(57)【要約】【課題】開閉される部材や搬送路に個別に給電の切替部材を設ける場合に比べて、安全性を維持しつつ部品を減らすこと。【解決手段】第１の開閉部材（２）が第１の閉塞位置に移動した場合に第１の接触部（２２）が接触する第１の被接触部（１８ｂ）と、第２の開閉部材（３）が第２の閉塞位置に移動した場合に第２の接触部（２３）が接触する第２の被接触部（１９ｂ）と、を有し、第１の被接触部（１８ｂ）および第２の被接触部（１９ｂ）の両方に第１の接触部（２２）および第２の接触部（２３）が接触した場合に切替部材（１１）を給電状態にし、且つ、第１の被接触部（１８ｂ）および第２の被接触部（１９ｂ）の少なくとも一方に第１の接触部（２２）および第２の接触部（２３）が非接触の場合に切替部材（１１）を給電停止状態にする連係部材（１６）と、を備えた媒体の搬送装置（Ｕ４）。【選択図】図６
2017071504.tif 000002
【特許請求の範囲】
【請求項１】
媒体が搬送される搬送路と、
前記搬送路に沿って配置され、媒体を搬送する搬送部材と、
前記搬送路を外部に開放する第１の開放位置と、前記搬送路を外部から塞ぐ第１の閉塞位置との間で開閉可能な第１の開閉部材と、
前記第１の開閉部材に対して媒体の搬送方向に沿って隣接して配置され、前記搬送路を外部に開放する第２の開放位置と、前記搬送路を外部から塞ぐ第２の閉塞位置との間で開閉可能な第２の開閉部材と、
前記第１の開閉部材に設けられた第１の接触部と、
前記第２の開閉部材に設けられた第２の接触部と、
前記搬送部材への給電および給電停止を切り替える切替部材と、
前記第１の開閉部材が前記第１の閉塞位置に移動した場合に前記第１の接触部が接触する第１の被接触部と、前記第２の開閉部材が前記第２の閉塞位置に移動した場合に前記第２の接触部が接触する第２の被接触部と、を有し、前記第１の被接触部および前記第２の被接触部の両方に前記第１の接触部および前記第２の接触部が接触した場合に前記切替部材を給電状態にし、且つ、前記第１の被接触部および前記第２の被接触部の少なくとも一方に前記第１の接触部および前記第２の接触部が非接触の場合に前記切替部材を給電停止状態にする連係部材と、
を備えたことを特徴とする媒体の搬送装置。
【請求項２】
媒体が搬送される搬送路と、
前記搬送路に沿って配置され、媒体を搬送する搬送部材と、
前記搬送路を外部に開放する第１の開放位置と、前記搬送路を外部から塞ぐ第１の閉塞位置との間で開閉可能な第１の開閉部材と、
前記第１の開閉部材に対して媒体の搬送方向に沿って隣接して配置され、前記搬送路を外部に開放する第２の開放位置と、前記搬送路を外部から塞ぐ第２の閉塞位置との間で開閉可能な第２の開閉部材と、
前記搬送部材への給電および給電停止を切り替える切替部材と、
前記第１の開閉部材に設けられた第１の被判定部と、
前記第２の開閉部材に設けられた第２の被判定部と、
前記開閉部材を開閉可能に支持する筐体に設けられ、前記第１の被判定部に対応して配置された第１の順序判定部と、
前記第１の開閉部材に設けられ、前記第２の被判定部に対応して配置された第２の順序判定部と、
前記第１の開閉部材に設けられた作動部であって、前記第２の被判定部が前記第２の順序判定部に係合した場合に、前記切替部材を給電状態にする前記作動部と、
を備えたことを特徴とする媒体の搬送装置。
【請求項３】
媒体が搬送される搬送路と、
前記搬送路に沿って配置され、媒体を搬送する搬送部材と、
前記搬送路を外部に開放する開放位置と、前記搬送路を外部から塞ぐ閉塞位置との間で開閉可能な開閉部材と、
前記開閉部材に設けられた作動部と、
媒体が搬送可能な搬送位置と、詰まった媒体を除去可能な除去位置と、の間で、前記搬送路を移動させる移動部材と、
前記移動部材が前記搬送位置に移動し且つ前記開閉部材が前記閉塞位置に移動した場合における前記作動部の位置に対応する位置に配置され、前記移動部材に支持されて、前記搬送部材への給電および給電停止を切り替える切替部材と、
を備えたことを特徴とする媒体の搬送装置。
【請求項４】
媒体を供給する請求項１ないし３のいずれかに記載の媒体の搬送装置と、
前記媒体の搬送装置から搬送された媒体に画像を記録する記録部と、
を備えたことを特徴とする画像形成装置。
【発明の詳細な説明】
【技術分野】
【０００１】
本発明は、媒体の搬送装置および画像形成装置に関する。
【背景技術】
【０００２】
画像形成装置において、画像形成後の像保持体に残留した現像剤が回収される回収容器に関して、以下の特許文献１に記載の技術が知られている。
【０００３】
特許文献１としての特開平１１−２０８９３３号公報には、３つのシートトレー（１０）と、ハイキャパシティフィーダトレー：ＨＣＦトレー（２０）とを有し、各トレー（１０，２０）からシート（Ｓ）が供給される画像形成装置が記載されている。特許文献１に記載の構成では、紙詰まりが発生した場合に、使用者が操作ハンドルレバー（４１）を操作することで、ＨＣＦトレー（２０）、搬送ユニットハウジング（２１）、両面ユニットハウジング（３０）を単独で出し入れ可能にしたり、一括して出し入れ可能にする構成が記載されている。
【先行技術文献】
【特許文献】
【０００４】
【特許文献１】特開平１１−２０８９３３号公報（「００２９」〜「００３７」、図２〜図７）
【発明の概要】
【発明が解決しようとする課題】
【０００５】
ところで、紙詰まりを解消する際や消耗品交換時に、開閉されるカバーや搬送路に対して、利用者が触れることに対する安全を確保するために、カバーや搬送路の開放に応じて、給電を停止する給電の切替部材、いわゆるインターロックスイッチが一般的に設けられている。
【０００６】
本発明は、開閉される部材や搬送路に個別に給電の切替部材を設ける場合に比べて、安全性を維持しつつ部品を減らすことを技術的課題とする。
【課題を解決するための手段】
【０００７】
前記技術的課題を解決するために、請求項１に記載の発明の媒体の搬送装置は、
媒体が搬送される搬送路と、
前記搬送路に沿って配置され、媒体を搬送する搬送部材と、
前記搬送路を外部に開放する第１の開放位置と、前記搬送路を外部から塞ぐ第１の閉塞位置との間で開閉可能な第１の開閉部材と、
前記第１の開閉部材に対して媒体の搬送方向に沿って隣接して配置され、前記搬送路を外部に開放する第２の開放位置と、前記搬送路を外部から塞ぐ第２の閉塞位置との間で開閉可能な第２の開閉部材と、
前記第１の開閉部材に設けられた第１の接触部と、
前記第２の開閉部材に設けられた第２の接触部と、
前記搬送部材への給電および給電停止を切り替える切替部材と、
前記第１の開閉部材が前記第１の閉塞位置に移動した場合に前記第１の接触部が接触する第１の被接触部と、前記第２の開閉部材が前記第２の閉塞位置に移動した場合に前記第２の接触部が接触する第２の被接触部と、を有し、前記第１の被接触部および前記第２の被接触部の両方に前記第１の接触部および前記第２の接触部が接触した場合に前記切替部材を給電状態にし、且つ、前記第１の被接触部および前記第２の被接触部の少なくとも一方に前記第１の接触部および前記第２の接触部が非接触の場合に前記切替部材を給電停止状態にする連係部材と、
を備えたことを特徴とする。
【０００８】
前記技術的課題を解決するために、請求項２に記載の発明の媒体の搬送装置は、
媒体が搬送される搬送路と、
前記搬送路に沿って配置され、媒体を搬送する搬送部材と、
前記搬送路を外部に開放する第１の開放位置と、前記搬送路を外部から塞ぐ第１の閉塞位置との間で開閉可能な第１の開閉部材と、
前記第１の開閉部材に対して媒体の搬送方向に沿って隣接して配置され、前記搬送路を外部に開放する第２の開放位置と、前記搬送路を外部から塞ぐ第２の閉塞位置との間で開閉可能な第２の開閉部材と、
前記搬送部材への給電および給電停止を切り替える切替部材と、
前記第１の開閉部材に設けられた第１の被判定部と、
前記第２の開閉部材に設けられた第２の被判定部と、
前記開閉部材を開閉可能に支持する筐体に設けられ、前記第１の被判定部に対応して配置された第１の順序判定部と、
前記第１の開閉部材に設けられ、前記第２の被判定部に対応して配置された第２の順序判定部と、
前記第１の開閉部材に設けられた作動部であって、前記第２の被判定部が前記第２の順序判定部に係合した場合に、前記切替部材を給電状態にする前記作動部と、
を備えたことを特徴とする。
【０００９】
前記技術的課題を解決するために、請求項３に記載の発明の媒体の搬送装置は、
媒体が搬送される搬送路と、
前記搬送路に沿って配置され、媒体を搬送する搬送部材と、
前記搬送路を外部に開放する開放位置と、前記搬送路を外部から塞ぐ閉塞位置との間で開閉可能な開閉部材と、
前記開閉部材に設けられた作動部と、
媒体が搬送可能な搬送位置と、詰まった媒体を除去可能な除去位置と、の間で、前記搬送路を移動させる移動部材と、
前記移動部材が前記搬送位置に移動し且つ前記開閉部材が前記閉塞位置に移動した場合における前記作動部の位置に対応する位置に配置され、前記移動部材に支持されて、前記搬送部材への給電および給電停止を切り替える切替部材と、
を備えたことを特徴とする。
【００１０】
前記技術的課題を解決するために、請求項４に記載の発明の画像形成装置は、
媒体を供給する請求項１ないし３のいずれかに記載の媒体の搬送装置と、
前記媒体の搬送装置から搬送された媒体に画像を記録する記録部と、
を備えたことを特徴とする。
【発明の効果】
【００１１】
請求項１〜４に記載の発明によれば、開閉される部材や搬送路に個別に給電の切替部材を設ける場合に比べて、安全性を維持しつつ部品を減らすことができる。
【図面の簡単な説明】
【００１２】
【図１】図１は本発明の実施例１の画像形成装置の全体説明図である。
【図２】図２は実施例１の画像の記録部の要部説明図である。
【図３】図３は実施例１の媒体の搬送装置の説明図である。
【図４】図４は実施例１の媒体の搬送装置の一例としての大容量給紙モジュールの説明図であり、図４Ａは斜視図、図４Ｂは図４Ａの状態から各カバーが開放された状態の図である。
【図５】図５は実施例１の上カバーの安全機構の斜視図である。
【図６】図６は実施例１の上カバーの安全機構の説明図であり、図６Ａは２つのカバーが閉塞位置に移動した状態の説明図、図６Ｂは２つのカバーが開放位置に移動した状態の説明図、図６Ｃは上流カバーが開放位置に移動した状態の説明図、図６Ｄは下流カバーが開放位置に移動した状態の説明図である。
【図７】図７は実施例１の前カバーの安全機構の説明図であり、図７Ａは中継ユニットが搬送位置に移動した状態の説明図、図７Ｂは中継ユニットが除去位置に移動した状態の説明図である。
【図８】図８は実施例１の図６に対応する実施例１の変更例の説明図であり、図８Ａは２つのカバーが閉塞位置に移動した状態の説明図、図８Ｂは２つのカバーが開放位置に移動した状態の説明図、図８Ｃは上流カバーが開放位置に移動した状態の説明図、図８Ｄは下流カバーが開放位置に移動した状態の説明図である。
【図９】図９は実施例２の安全機構の説明図であり、実施例１の図５に対応する図である。
【図１０】図１０は実施例２の安全機構の作用説明図であり、図１０Ａは２つのカバーが閉塞位置に移動した状態の説明図、図１０Ｂは２つのカバーが閉塞位置に移動していない状態の説明図、図１０Ｃは上流カバーと下流カバーの閉める順序が誤っている場合の説明図である。
【図１１】図１１は実施例２の安全機構の説明図であり、図１１Ａは上流カバーと下流カバーの閉じる順番が正しい場合の説明図、図１１Ｂは上流カバーと下流カバーの閉じる順番が誤っている場合の説明図である。
【発明を実施するための形態】
【００１３】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１４】
図１は本発明の実施例１の画像形成装置の全体説明図である。
図１において、実施例１の画像形成装置の一例としての複写機Ｕは、記録部の一例であって、画像記録装置の一例としてのプリンタ部Ｕ１を有する。プリンタ部Ｕ１の上部には、読取部の一例であって、画像読取装置の一例としてのスキャナ部Ｕ２が支持されている。スキャナ部Ｕ２の上部には、原稿の搬送装置の一例としてのオートフィーダＵ３が支持されている。実施例１のスキャナ部Ｕ２には、入力部の一例としてのユーザインタフェースＵ０が支持されている。前記ユーザインタフェースＵ０は、操作者が入力をして、複写機Ｕの操作が可能である。
【００１５】
オートフィーダＵ３の上部には、媒体の収容容器の一例としての原稿トレイＴＧ１が配置されている。原稿トレイＴＧ１には、複写しようとする複数の原稿Ｇｉが重ねて収容可能である。原稿トレイＴＧ１の下方には、原稿の排出部の一例としての原稿の排紙トレイＴＧ２が形成されている。原稿トレイＴＧ１と原稿の排紙トレイＴＧ２との間には、原稿の搬送路Ｕ３ａに沿って、原稿の搬送ロールＵ３ｂが配置されている。
【００１６】
スキャナ部Ｕ２の上面には、透明な原稿台の一例としてのプラテンガラスＰＧが配置されている。実施例１のスキャナ部Ｕ２には、プラテンガラスＰＧの下方に、読取り用の光学系Ａが配置されている。実施例１の読取り用の光学系Ａは、プラテンガラスＰＧの下面に沿って、左右方向に移動可能に支持されている。なお、読取り用の光学系Ａは、通常時は、図１に示す初期位置に停止している。
読取り用の光学系Ａの右方には、撮像部材ＣＣＤが配置されている。撮像部材ＣＣＤには、画像処理部ＧＳが電気的に接続されている。
【００１７】
図２は実施例１の画像の記録部の要部説明図である。
画像処理部ＧＳは、プリンタ部Ｕ１の書込回路ＤＬに電気的に接続されている。書込回路ＤＬは、潜像の形成装置の一例としての露光装置ＲＯＳに電気的に接続されている。
実施例１の露光装置ＲＯＳは、書込光の一例としてのＹ，Ｍ，Ｃ，Ｋの各色に対応したレーザービームＬｙ，Ｌｍ，Ｌｃ，Ｌｋを出力可能に構成されている。露光装置ＲＯＳは、書込回路ＤＬから入力された信号に応じたレーザービームＬｙ〜Ｌｋを出力可能に構成されている。
図１において、露光装置ＲＯＳの上方には、像保持体の一例としての感光体ＰＲｙ，ＰＲｍ，ＰＲｃ，ＰＲｋが配置されている。図１、図２において、各感光体ＰＲｙ〜ＰＲｋにレーザービームＬｙ〜Ｌｋが照射される領域により、書込領域Ｑ１ｙ，Ｑ１ｍ，Ｑ１ｃ，Ｑ１ｋが構成されている。
【００１８】
各感光体ＰＲｙ，ＰＲｍ，ＰＲｃ，ＰＲｋの回転方向に対して、書込領域Ｑ１ｙ〜Ｑ１ｋの上流側には、帯電器の一例としての帯電ロールＣＲｙ，ＣＲｍ，ＣＲｃ，ＣＲｋが配置されている。実施例１の帯電ロールＣＲｙ〜ＣＲｋは、感光体ＰＲｙ〜ＰＲｋに接触して従動回転可能に支持されている。
感光体ＰＲｙ〜ＰＲｋの回転方向に対して、書込領域Ｑ１ｙ〜Ｑ１ｋの下流側には、現像装置Ｇｙ，Ｇｍ，Ｇｃ，Ｇｋが配置されている。各感光体ＰＲｙ〜ＰＲｋと各現像装置Ｇｙ〜Ｇｋとが対向する領域により、現像領域Ｑ２ｙ，Ｑ２ｍ，Ｑ２ｃ，Ｑ２ｋが構成されている。
【００１９】
感光体ＰＲｙ〜ＰＲｋの回転方向に対して、現像装置Ｇｙ〜Ｇｋの下流側には、１次転写器の一例としての１次転写ロールＴ１ｙ，Ｔ１ｍ，Ｔ１ｃ，Ｔ１ｋが配置されている。各感光体ＰＲｙ〜ＰＲｋと各１次転写ロールＴ１ｙ〜Ｔ１ｋとが対向する領域により、１次転写領域Ｑ３ｙ，Ｑ３ｍ，Ｑ３ｃ，Ｑ３ｋが構成されている。
感光体ＰＲｙ〜ＰＲｋの回転方向に対して、１次転写ロールＴ１ｙ〜Ｔ１ｋの下流側には、像保持体の清掃器の一例としての感光体クリーナＣＬｙ，ＣＬｍ，ＣＬｃ，ＣＬｋが配置されている。
【００２０】
前記Ｙ色の感光体ＰＲｙ、帯電ロールＣＲｙ、Ｙ色のレーザービームＬｙを出力する露光装置ＲＯＳ、現像装置Ｇｙ、１次転写ロールＴ１ｙ、感光体クリーナＣＬｙにより、可視像の一例としてのトナー像を形成する実施例１のＹ色の可視像の形成装置の一例としてのＹ色の作像部Ｕｙが構成されている。同様に、各感光体ＰＲｍ，ＰＲｃ，ＰＲｋ、帯電ロールＣＲｍ，ＣＲｃ，ＣＲｋ、露光装置ＲＯＳ、現像装置Ｇｍ，Ｇｃ，Ｇｋ、１次転写ロールＴ１ｍ，Ｔ１ｃ，Ｔ１ｋ、感光体クリーナＣＬｍ，ＣＬｃ，ＣＬｋにより、前記Ｍ，Ｃ，Ｋ色の作像部Ｕｍ，Ｕｃ，Ｕｋが構成されている。
【００２１】
前記感光体ＰＲｙ〜ＰＲｋの上方には、中間転写装置の一例としてのベルトモジュールＢＭが配置されている。ベルトモジュールＢＭは、中間転写体の一例としての中間転写ベルトＢを有する。中間転写ベルトＢは、無端帯状の部材により構成されている。
実施例１の中間転写ベルトＢは、駆動部材の一例としてのベルト駆動ロールＲｄと、張架部材の一例としてのテンションロールＲｔと、片寄りを補正する部材の一例としてのウォーキングロールＲｗと、従動部材の一例としてのアイドラロールＲｆと、２次転写領域の対向部材の一例としてのバックアップロールＴ２ａと、１次転写ロールＴ１ｙ，Ｔ１ｍ，Ｔ１ｃ，Ｔ１ｋと、により回転可能に支持されている。
【００２２】
前記中間転写ベルトＢを挟んでバックアップロールＴ２ａに対向する位置には、２次転写部材の一例としての２次転写ロールＴ２ｂが配置されている。実施例１では、バックアップロールＴ２ａは接地され、２次転写ロールＴ２ｂには電源回路Ｅからトナーの帯電極性と逆極性の２次転写電圧が印加される。バックアップロールＴ２ａおよび２次転写ロールＴ２ｂにより、実施例１の２次転写器Ｔ２が構成されている。また、２次転写ロールＴ２ｂと中間転写ベルトＢとが接触する領域により２次転写領域Ｑ４が構成されている。
中間転写ベルトＢの回転方向に対して、２次転写領域Ｑ４の下流側には、中間転写体の清掃器の一例として、ベルトクリーナＣＬｂが配置されている。
前記１次転写ロールＴ１ｙ〜Ｔ１ｋ、中間転写ベルトＢおよび２次転写器Ｔ２等により、実施例１の転写装置Ｔ１＋Ｔ２＋Ｂが構成されている。また、作像部Ｕｙ〜Ｕｋおよび転写装置Ｔ１＋Ｔ２＋Ｂとにより、実施例１の画像の記録部Ｕｙ〜Ｕｋ＋Ｔ１＋Ｔ２＋Ｂが構成されている。
【００２３】
図１において、作像部Ｕｙ〜Ｕｋの下方には、案内部材の一例としての左右一対のガイドレールＧＲが３段設けられている。各ガイドレールＧＲには、媒体の収容部の一例としての給紙トレイＴＲ１〜ＴＲ３が前後方向に出入可能に支持されている。給紙トレイＴＲ１〜ＴＲ３には、媒体の一例としての記録シートＳが収容される。
給紙トレイＴＲ１〜ＴＲ３の左上方には、取出部材の一例としてのピックアップロールＲｐが配置されている。記録シートＳの搬送方向に対して、ピックアップロールＲｐの下流側には、捌き部材の一例としての捌きロールＲｓが配置されている。記録シートＳの搬送方向に対して、捌きロールＲｓの下流側には、媒体の搬送路の一例として、上方に延びる給紙路ＳＨ１が形成されている。給紙路ＳＨ１には、搬送部材の一例としての複数の搬送ロールＲａが配置されている。
【００２４】
給紙路ＳＨ１には、２次転写領域Ｑ４の上流側に、搬送時期の調節部材の一例としてのレジロールＲｒが配置されている。
記録シートＳの搬送方向に対して、２次転写領域Ｑ４の下流側には、定着装置Ｆが配置されている。定着装置Ｆは、加熱用の定着部材の一例としての加熱ロールＦｈと、加圧用の定着部材の一例としての加圧ロールＦｐと、を有する。加熱ロールＦｈと加圧ロールＦｐとの接触領域により定着領域Ｑ５が構成されている。
定着装置Ｆの上方には、搬送路の一例としての排紙路ＳＨ２が配置されている。プリンタ部Ｕ１の上面には、媒体の排出部の一例としての排紙トレイＴＲｈが形成されている。排紙路ＳＨ２は、排紙トレイＴＲｈに向けて延びる。排紙路ＳＨ２の下流端には、媒体の搬送部材の一例としての排紙ロールＲｈが配置されている。
【００２５】
（画像形成動作の説明）
前記構成を備えた実施例１の複写機Ｕでは、複写動作が開始されると、原稿トレイＴＧ１に収容された複数の原稿Ｇｉは、プラテンガラスＰＧ上の原稿の読み取り位置を順次通過して、原稿の排紙トレイＴＧ２に排出される。
前記オートフィーダＵ３を使用して自動的に原稿を搬送して複写を行う場合は、読取り用の光学系Ａは初期位置に停止した状態で、プラテンガラスＰＧ上の読み取り位置を順次通過する各原稿Ｇｉが露光される。原稿Ｇｉを作業者が手でプラテンガラスＰＧ上に置いて複写を行う場合、読取り用の光学系Ａが左右方向に移動して、プラテンガラスＰＧ上の原稿が、露光されながら走査される。
原稿Ｇｉからの反射光は、読取り用の光学系Ａを通って、撮像部材ＣＣＤに集光される。前記撮像部材ＣＣＤは、撮像面に集光された原稿Ｇｉの反射光を電気信号に変換する。
【００２６】
画像処理部ＧＳは、撮像部材ＣＣＤから出力された電気信号が入力される。画像処理部ＧＳは、撮像部材ＣＣＤが読み取ったＲ，Ｇ，Ｂの色の画像の電気信号を、潜像形成用のイエローＹ、マゼンタＭ、シアンＣ、黒Ｋの画像情報に変換する。画像処理部ＧＳは、変換後の画像情報をプリンタ部Ｕ１の書込回路ＤＬに出力する。なお、画像処理部ＧＳは、画像が単色画像、いわゆる、モノクロの場合は、黒Ｋのみの画像情報を書込回路ＤＬに出力する。
書込回路ＤＬは、入力された画像情報に応じた制御信号を、露光装置ＲＯＳに出力する。露光装置ＲＯＳは、制御信号に応じたレーザービームＬｙ〜Ｌｋを出力する。
【００２７】
各感光体ＰＲｙ〜ＰＲｋは、画像形成が開始されると回転駆動する。帯電ロールＣＲｙ〜ＣＲｋには、電源回路Ｅから帯電電圧が印加される。したがって、感光体ＰＲｙ〜ＰＲｋの表面は、帯電ロールＣＲｙ〜ＣＲｋにより帯電される。帯電された感光体ＰＲｙ〜ＰＲｋは、書込領域Ｑ１ｙ〜Ｑ１ｋにおいて、レーザービームＬｙ〜Ｌｋにより、表面に静電潜像が形成される。感光体ＰＲｙ〜ＰＲｋの静電潜像は、現像領域Ｑ２ｙ〜Ｑ２ｋにおいて、現像装置Ｇｙ，Ｇｍ，Ｇｃ，Ｇｋにより可視像の一例としてのトナー像に現像される。
【００２８】
現像されたトナー像は、中間転写体の一例としての中間転写ベルトＢに接触する１次転写領域Ｑ３ｙ，Ｑ３ｍ，Ｑ３ｃ，Ｑ３ｋに搬送される。１次転写領域Ｑ３ｙ，Ｑ３ｍ，Ｑ３ｃ，Ｑ３ｋにおいて、１次転写ロールＴ１ｙ〜Ｔ１ｋには、電源回路Ｅからトナーの帯電極性と逆極性の１次転写電圧が印加される。したがって、各感光体ＰＲｙ〜ＰＲｋ上のトナー像は、１次転写ロールＴ１ｙ〜Ｔ１ｋにより、中間転写ベルトＢに転写される。なお、多色のトナー像の場合、上流側の１次転写領域で中間転写ベルトＢに転写されたトナー像に重ねて、下流側のトナー像が転写される。
１次転写後の感光体ＰＲｙ〜ＰＲｋの残留物、付着物は、感光体クリーナＣＬｙ〜ＣＬｋにより清掃される。清掃された感光体ＰＲｙ〜ＰＲｋ表面は、帯電ロールＣＲｙ〜ＣＲｋにより再帯電される。
１次転写領域Ｑ３ｙ〜Ｑ３ｋで１次転写ロールＴ１〜Ｔ１ｋにより中間転写ベルトＢ上に転写された単色または多色のトナー像は、２次転写領域Ｑ４に搬送される。
【００２９】
画像が記録される記録シートＳは、使用される給紙トレイＴＲ１〜ＴＲ３のピックアップロールＲｐにより、取り出される。ピックアップロールＲｐで取り出された記録シートＳは、複数枚の記録シートＳが重ねて取り出された場合、捌きロールＲｓにより１枚ずつに分離される。捌きロールＲｓで分離された記録シートＳは、搬送ロールＲａにより給紙路ＳＨ１を搬送される。給紙路ＳＨ１を搬送された記録シートＳは、レジロールＲｒに送られる。
レジロールＲｒは、中間転写ベルトＢに形成されたトナー像が２次転写領域Ｑ４に搬送される時期を合わせて、記録シートＳを２次転写領域Ｑ４に搬送する。２次転写ロールＴ２ｂには、電源回路Ｅによりトナーの帯電極性と逆極性の２次転写電圧が印加される。したがって、中間転写ベルトＢ上のトナー像は、中間転写ベルトＢから記録シートＳに転写される。
【００３０】
２次転写後の前記中間転写ベルトＢは、表面に付着した付着物等がベルトクリーナＣＬｂにより清掃される。
前記トナー像が２次転写された記録シートＳは、定着領域Ｑ５を通過する際に加熱定着される。
画像が定着された記録シートＳは、排紙路ＳＨ２を搬送される。排紙路ＳＨ２を搬送された記録シートＳは、排紙ロールＲｈにより排紙トレイＴＲｈに排出される。
【００３１】
（媒体の搬送装置の説明）
図３は実施例１の媒体の搬送装置の説明図である。
図４は実施例１の媒体の搬送装置の一例としての大容量給紙モジュールの説明図であり、図４Ａは斜視図、図４Ｂは図４Ａの状態から各カバーが開放された状態の図である。
図１において、プリンタ部Ｕ１の左方には、媒体の搬送装置の一例としての大容量給紙モジュールＵ４が接続されている。図１、図３において、大容量給紙モジュールＵ４は、媒体の収容部の一例としての大容量トレイＴＲ４を有する。図４において、大容量トレイＴＲ４は、前後方向に出入可能に支持されている。図１、図３において、大容量トレイＴＲ４には、記録シートＳが収容される。なお、実施例１では、大容量トレイＴＲ４は、給紙トレイＴＲ１〜ＴＲ３に比べて、多くの記録シートＳが収容可能に構成されている。
【００３２】
大容量トレイＴＲ４の右上方には、給紙トレイＴＲ１〜ＴＲ３と同様に、取出部材の一例としてのピックアップロールＲｐや捌き部材の一例としての捌きロールＲｓが配置されている。
記録シートＳの搬送方向に対して、捌きロールＲｓの下流側には、移動部材の一例としての中継ユニットＵ４ａが配置されている。中継ユニットＵ４ａの内部には、媒体の搬送路の一例として、右斜め下方に延びる中継路ＳＨ４が形成されている。中継路ＳＨ４の下流端は、プリンタ部Ｕ１の給紙路ＳＨ１に合流している。中継路ＳＨ４には、搬送部材の一例としての複数の搬送ロールＲａが配置されている。図３、図４において、実施例１の中継ユニットＵ４ａは、大容量給紙モジュールＵ４の筐体１に対して、回転軸Ｕ４ｂを中心として、図３の実線で示す搬送位置と、図３の破線で示す除去位置との間で回転移動可能に支持されている。前記搬送位置では中継路ＳＨ４は給紙路ＳＨ１に接続され、且つ、除去位置では中継路ＳＨ４が給紙路ＳＨ１から離間される。
【００３３】
図３、図４において、実施例１の大容量給紙モジュールＵ４は、ピックアップロールＲｐや捌きロールＲｓの上方に対応する位置に、第１の開閉部材の一例としての上流カバー２が支持されている。実施例１の上流カバー２は、ピックアップロールＲｐ等を覆う左部２ａと、中継路ＳＨ４の上流側の部分を覆う右部２ｂとを有する。左部２ａと右部２ｂとは、大容量給紙モジュールＵ４の上面形状に沿って折れ曲がった形状に形成されている。図３、図４において、実施例１の上流カバー２は、左端部の回転軸２ａ１を中心として、筐体１に回転可能に支持されている。よって、上流カバー２は、図４Ａに示す第１の閉塞位置と、図４Ｂに示す第１の開放位置と、の間で開閉可能に構成されている。
【００３４】
上流カバー２の右下方には、第２の開閉部材の一例としての下流カバー３が配置されている。実施例１の下流カバー３は、上流カバー２に対して、記録シートＳの搬送方向に沿って隣接して配置されている。下流カバー３は、右端部の回転軸３ａを中心として、筐体１に回転可能に支持されている。よって、下流カバー３は、図４Ａに示す第２の閉塞位置と、図４Ｂに示す第２の開放位置と、の間で開閉可能に構成されている。前記上流カバー２および下流カバー３により、実施例１の上カバー２，３が構成されている。
図４において、実施例１の大容量給紙モジュールＵ４は、中継ユニットＵ４ａの前方に対する位置に、開閉部材の一例であって第３の開閉部材の一例としてのフロントカバー４が配置されている。実施例１のフロントカバー４は、左端部の図示しない回転軸を中心として、筐体１に回転可能に支持されている。よって、フロントカバー４は、図４Ａに示す第３の閉塞位置と、図４Ｂに示す第３の開放位置と、の間で開閉可能に構成されている。
【００３５】
（安全機構の説明）
図５は実施例１の上カバーの安全機構の斜視図である。
図６は実施例１の上カバーの安全機構の説明図であり、図６Ａは２つのカバーが閉塞位置に移動した状態の説明図、図６Ｂは２つのカバーが開放位置に移動した状態の説明図、図６Ｃは上流カバーが開放位置に移動した状態の説明図、図６Ｄは下流カバーが開放位置に移動した状態の説明図である。
図５において、実施例１の大容量給紙モジュールＵ４の後部には、切替部材の一例としての第１のインターロックスイッチ１１が支持されている。第１のインターロックスイッチ１１は、大容量給紙モジュールＵ４の電力を必要とする各部材、例えば、搬送ロールＲａやピックアップロールＲｐの駆動源への給電および給電停止を切り替える部材である。図５、図６において、第１のインターロックスイッチ１１は、被作動部の一例としてのプランジャ１１ａを有する。プランジャ１１ａは、上方に向けて延びる棒状に形成されている。プランジャ１１ａは、付勢部材の一例としてのバネにより上方に付勢されている。
【００３６】
第１のインターロックスイッチ１１の上方には、連係部材の一例としてのリンク１６が配置されている。リンク１６は、左右方向に延びる板状に形成されている。リンク１６は、中央部１７と、中央部１７の左右両側に一体的に形成された左部１８および右部１９とを有する。リンク１６の中央部１７には、下面にプランジャ１１ａが接触するように配置されている。左部１８および右部１９には、案内部の一例として、左右一対のガイド孔１８ａ，１９ａが形成されている。実施例１のガイド孔１８ａ，１９ａは、左右方向の中央部分を中心とする部分円弧状に形成されている。ガイド孔１８ａ，１９ａには、支持部の一例として筐体１から延びるピン２１，２１が貫通している。したがって、ピン２１，２１は、リンク１６をガイド孔１８ａ，１９ａに沿って移動可能に支持している。
【００３７】
左部１８の上面には、第１の被接触部の一例としての左接触面１８ｂが形成されている。また、右部１９の上面には、第２の被接触部の一例としての右接触面１９ｂが形成されている。
図５、図６において、上流カバー２の下面には、左接触面１８ｂに対応する位置に、第１の接触部の一例としての左接触突起２２が支持されている。下流カバー３の下面には、右接触面１９ｂに対応する位置に、第２の接触部の一例としての右接触突起２３が支持されている。
なお、上流カバー２および下流カバー３には、それぞれ、操作部の一例としての図示しないラッチ部が設けられている。ラッチ部は、各閉塞位置において各カバー２，３を筐体１に保持、すなわち、ロックすると共に、ラッチ部を操作した場合に、カバー２，３が筐体１に対するロックが解除されて各開放位置に移動可能に構成されている。
前記第１のインターロックスイッチ１１およびリンク１６、ピン２１、各接触突起２２，２３により、実施例１の第１の安全機構１１〜２３が構成されている。
【００３８】
図７は実施例１の前カバーの安全機構の説明図であり、図７Ａは中継ユニットが搬送位置に移動した状態の説明図、図７Ｂは中継ユニットが除去位置に移動した状態の説明図である。
図７において、実施例１の中継ユニットＵ４ａには、切替部材の一例としての第２のインターロックスイッチ３１が支持されている。第２のインターロックスイッチ３１は、第１のインターロックスイッチ１１と同様に構成されている。よって、第２のインターロックスイッチ３１もプランジャ３１ａを有する。図７に示すように、第２のインターロックスイッチ３１は、中継ユニットＵ４ａが図７Ａに示す搬送位置と図７Ｂに示す除去位置との間で移動する際に、一体的に移動する。
【００３９】
図４Ｂ、図７において、中継ユニットＵ４ａが搬送位置に移動した状態における第２のインターロックスイッチ３１のプランジャ３１ａの位置に対応して、フロントカバー４には、作動部の一例としてのアクチュエータ３２が支持されている。実施例１のアクチュエータ３２は、大容量給紙モジュールＵ４の内部に向けて延びる突起状に形成されている。
前記第２のインターロックスイッチ３１およびアクチュエータ３２により、実施例１の第２の安全機構３１，３２が構成されている。
【００４０】
（実施例１の作用）
前記構成を備えた実施例１の複写機Ｕでは、大容量給紙モジュールＵ４のピックアップロールＲｐや捌きロールＲｓ、中継路ＳＨ４で紙詰まりが発生した場合、上カバー２，３が開放されて、詰まった紙が除去される。上カバー２，３の一方が開放されると、図６Ｃ、図６Ｄに示すように、リンク１６がプランジャ１１ａを付勢するバネで押される。なお、上カバー２，３が両方開放された場合も、図６Ｂに示すように、リンク１６がプランジャ１１ａで押される。よって、上カバー２，３のいずれかまたは両方が開放されると、プランジャ１１ａが伸びた状態となり、第１のインターロックスイッチ１１が切れる。すなわち、大容量給紙モジュールＵ４への給電が停止される。よって、上カバー２，３が開放されて詰まった紙が除去されている間に、各ローラＲｐ，Ｒｓ，Ｒａが誤って駆動して、利用者が触れて怪我をしたり、通電部分に利用者が触れて感電するといった事故が防止される。すなわち、安全が確保される。
【００４１】
詰まった紙が除去されて上カバー２，３を各閉塞位置に移動させる際に、上カバー２，３の一方が完全に閉塞位置に移動していない場合、図６Ｃ、図６Ｄに示すように、第１のインターロックスイッチ１１が切れたままとなる。上カバー２，３の両方が閉塞位置に移動すると、図６Ａに示すように、第１のインターロックスイッチ１１のプランジャ１１ａが下方に押され、給電可能な状態となる。
ここで、従来の構成では、上流カバー２および下流カバー３のそれぞれに対して、インターロックスイッチが設けられていたが、インターロックスイッチの個数自体が増えるとともに、電気回路の接続端子や制御手段も増える問題がある。したがって、製造費用が増大する問題がある。これに対して、実施例１では、第１のインターロックスイッチ１１は、１つで、２つのカバー２，３の開閉に対応して、給電の停止が可能である。よって、従来の構成に比べて、インターロックスイッチの個数が減り、電気回路も簡素化される。したがって、実施例１の複写機Ｕでは、安全を確保しつつ、従来に比べて費用が低減される。
【００４２】
また、実施例１では、給紙路ＳＨ１で紙詰まりをした場合に、フロントカバー４を第３の開放位置に移動させ、中継ユニットＵ４ａを除去位置に移動させると、図７Ｂに示すように大容量給紙モジュールＵ４の右部に空間３３が形成される。したがって、プリンタ部Ｕ１の図示しない左カバーを開放させると、空間３３を通じて、給紙路ＳＨ１に詰まった紙を除去する作業が可能となる。なお、この時、フロントカバー４を第３の開放位置に移動させた段階で、アクチュエータ３２が第２のインターロックスイッチ３１から離間する。よって、大容量給紙モジュールＵ４への給電が停止されて、安全が確保される。
紙詰まりを解消する作業が終了して、中継ユニットＵ４ａが搬送位置に移動した状態においてフロントカバー４が第３の閉塞位置に移動すると、第２のインターロックスイッチ３１が給電可能な状態となる。
【００４３】
ここで、中継ユニットＵ４ａが除去位置の状態でフロントカバー４が第３の閉塞位置に移動したり、中継ユニットＵ４ａが搬送位置に移動した状態でフロントカバー４が第３の閉塞位置に完全に移動していない場合は、アクチュエータ３２が第２のインターロックスイッチ３１に接触しない。すなわち、大容量給紙モジュールＵ４への給電が再開されない。
従来の構成では、中継ユニットＵ４ａが搬送位置に戻っているかを検知するセンサと、フロントカバー４用のインターロックスイッチを、個別に設けており、部品点数が増大し、電気回路も複雑化する問題があった。これに対して、実施例１では、第２のインターロックスイッチ３１の１つで、中継ユニットＵ４ａが搬送位置に移動し、フロントカバー４が第３の閉塞位置に移動することに対応している。よって、実施例１では、従来の構成に比べて、安全を確保しつつ部品点数および費用が低減される。
【００４４】
（実施例１の変更例の説明）
図８は実施例１の図６に対応する実施例１の変更例の説明図であり、図８Ａは２つのカバーが閉塞位置に移動した状態の説明図、図８Ｂは２つのカバーが開放位置に移動した状態の説明図、図８Ｃは上流カバーが開放位置に移動した状態の説明図、図８Ｄは下流カバーが開放位置に移動した状態の説明図である。
図８において、実施例１の変更例では、リンク１６′の形状が、実施例１のリンク１６とは異なる。すなわち、実施例１のリンク１６ではガイド孔１８ａ，１９ａが左右一対形成されていたのに替えて、実施例１の変更例のリンク１６′では、ガイド孔１７ａ′が中央部１７′に１つ形成されている。これに対応して、ピン２１′も、実施例１の変更例では、１つのみとなっている。なお、ガイド孔１７ａ′の内形は、ピン２１′の外形に対して、隙間、いわゆる遊びを持って支持されている。
【００４５】
図８Ａ〜図８Ｄにおいて、前記構成を備えた実施例１の変更例でも、実施例１と同様に、２つのカバー２，３のいずれか一方または両方が各閉塞位置に移動していない状態では、第１のインターロックスイッチ１１が給電停止の状態となり、２つのカバー２，３の両方が各閉塞位置に移動すると、第１のインターロックスイッチ１１が給電可能な状態となる。よって、実施例１の変更例でも、第１のインターロックスイッチ１１が１つで、２つのカバー２，３に対応している。よって、カバー毎にインターロックスイッチを個別に設ける従来の構成に比べて、安全性を確保しつつ部品点数を減らすことが可能である。
【実施例２】
【００４６】
次に、本発明の実施例２の説明をするが、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
【００４７】
（実施例２の安全機構の説明）
図９は実施例２の安全機構の説明図であり、実施例１の図５に対応する図である。
図１０は実施例２の安全機構の作用説明図であり、図１０Ａは２つのカバーが閉塞位置に移動した状態の説明図、図１０Ｂは２つのカバーが閉塞位置に移動していない状態の説明図、図１０Ｃは上流カバーと下流カバーの閉める順序が誤っている場合の説明図である。
図１１は実施例２の安全機構の説明図であり、図１１Ａは上流カバーと下流カバーの閉じる順番が正しい場合の説明図、図１１Ｂは上流カバーと下流カバーの閉じる順番が誤っている場合の説明図である。
【００４８】
図９〜図１１において、実施例２の筐体１には、実施例１と同様に、枠体の一例としてのフレーム４０に、第１のインターロックスイッチ１１が支持されている。第１のインターロックスイッチ１１の左方には、付勢部材の一例としてのコイルバネ４１が支持されている。コイルバネ４１の内側、すなわち、前方には、閉塞位置の保持部の一例としてのラッチ孔４２が形成されている。なお、コイルバネ４１およびラッチ孔４２は、前後一対設けられているが、図９、図１０には、後側のもののみ図示する。第１のインターロックスイッチ１１の右側には、第１の順序判定部の一例としての第１の丸孔４３が形成されている。
【００４９】
実施例２の上流カバー２″は、実施例１とは異なり、右部２ｂの右側に、段差部２ｃが設けられている。段差部２ｃは、右部２ｂの下面よりも下方に段差状に折り曲げて形成されている。段差部２ｃには、ラッチ孔４２の上方に対応する位置に、通過部の一例としてのラッチ通過口４４が形成されている。また、ラッチ通過口４４の後方には、第２の順序判定部の一例としての第２の丸孔４５が形成されている。実施例１の第２の丸孔４５は、第１の丸孔４３に対して後側にずれた位置に配置されている。また、段差部２ｃの下面には、第１の丸孔４３に対応する位置に、第１の被判定部の一例としての第１の突起４６が支持されている。なお、実施例２の作動部の一例としての段差部２ｃの下面の後端部２ｄは、第１のインターロックスイッチ１１のプランジャ１１ａに接触可能に構成されている。
【００５０】
実施例２の下流カバー３″の下面は、実施例１と異なり、ラッチ通過口４４およびラッチ孔４２に対応する位置に、閉塞位置の保持部の一例としてのラッチ部材４７が配置されている。ラッチ部材４７は、操作部の一例としてのハンドル４８を作業者が操作した場合に、ラッチ孔４２から外れ、ハンドル４８が操作されない場合、ラッチ孔４２に掛かった状態で保持される。また、下流カバー３″の下面には、第２の丸孔４５に対応する位置に、第２の被判定部の一例としての第２の突起４９が支持されている。すなわち、第２の突起４９は、第１の突起４６よりも後側にずれた位置に配置されている。実施例２の第２の突起４９は、第２の突起４９の下端が、フレーム４０の上面に直接接触した場合に、下流カバー３″の下面が、プランジャ１１ａに接触しないように、下方に突出する長さが設定されている。
【００５１】
（実施例２の作用）
前記構成を備えた実施例２の複写機Ｕでは、上流カバー２″と下流カバー３″を閉じる場合に、上流カバー２″、下流カバー３″の順に閉じられると、図１０Ａ、図１１Ａに示すように、第１の突起４６が第１の丸孔４３を貫通し、且つ、第２の突起４９が第２の丸孔４５を通過する。そして、図１０Ａに示すように、コイルバネ４１を縮めながらラッチ部材４７がラッチ孔４２に掛かると、２つのカバー２″，３″が閉塞位置に保持されるとともに、上流カバー２″の段差部２ｃがプランジャ１１ａを押した状態で保持される。
図１０Ｂにおいて、ラッチ部材４７がかかっていない状態では、コイルバネ４１が、段差部２ｃを上方に押す。よって、段差部２ｃがプランジャ１１ａを奥まで押した状態とならず、第１のインターロックスイッチ１１は、給電停止状態が保持される。
【００５２】
図１０Ｃ、図１１Ｂにおいて、カバー２″，３″を閉じる順番を誤って、下流カバー３″、上流カバー２″の順に閉じられると、第２の突起４９がフレーム４０に接触するとともに、第１の突起４６が下流カバー３″の上面に接触する。よって、下流カバー３″は第２の閉塞位置に移動しているが、上流カバー２″は第１の閉塞位置に移動していないこととなる。この場合、ラッチ部材４７はラッチ孔４２に掛かるが、第２の突起４９がフレーム４０に接触しており、第１のインターロックスイッチ１１のプランジャ１１ａは押されない。よって、第１のインターロックスイッチ１１は、給電停止状態のままとなる。
よって、実施例２の複写機Ｕでは、１つのインターロックスイッチ１１で、２つのカバー２″，３″が閉塞位置に移動したか否かに対応可能であり、閉じる順番を誤った場合でも、第１のインターロックスイッチ１１が給電可能な状態とならず、安全が確保される。
【００５３】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ05）を下記に例示する。
（Ｈ01）前記実施例において、画像形成装置の一例として複写機Ｕを例示したが、これに限定されず、プリンタ、ＦＡＸ、あるいはこれら複数の機能を備えた複合機等に適用可能である。また、Ｙ，Ｍ，Ｃ，Ｋの４色の画像が形成可能な構成を提示したが、これに限定されない。３色以下や単色、５色以上の画像形成装置に適用可能である。さらに、電子写真方式の画像形成装置に限定されず、インクジェット方式等、任意の画像形成方式の画像形成装置に適用可能である。
【００５４】
（Ｈ02）前記実施例において、リンク１６，１６′の形状は、実施例に例示した形状に限定されない。すなわち、各カバー２，３に対応する接触部を有し、インターロックスイッチを作動させることが可能であれば、形状は変更可能である。
（Ｈ03）前記実施例において、切替部材の一例として、プランジャ１１ａを有するインターロックスイッチ１１を例示したが、これに限定されない。例えば、カバー２，３の接触、非接触に応じて、リンク１６，１６′が軸を中心に回転すると共に、軸の回転角に応じて給電、給電停止を切り替えるインターロックスイッチを採用することも可能である。他にも、例えば、光センサでリンク１６，１６′を検知するか否かで給電、給電停止を切り替える安全装置を採用することも可能である。よって、カバー２，３が両方閉塞位置に移動したことに対応して、給電、給電停止を切り替え可能な任意の構成を採用可能である。
【００５５】
（Ｈ04）前記実施例において、中継ユニットＵ４ａは回転移動する構成を例示したが、これに限定されない。例えば、平行移動、いわゆるスライド移動する構成にも適用可能である。
（Ｈ05）前記実施例において、突起と孔の関係は、実施例に例示した関係に限定されず、逆に配置することも可能である。また、孔も貫通孔に限定されず、窪み、凹部やスリット等、形状は変更可能である。
【符号の説明】
【００５６】
１…筐体、
２，２″…第１の開閉部材、
２ｄ…作動部、
３，３″…第２の開閉部材、
４…開閉部材、
１１…切替部材、
１６，１６′…連係部材、
１８ｂ…第１の被接触部、
１９ｂ…第２の被接触部、
２２…第１の接触部、
２３…第２の接触部、
３１…切替部材、
３２…作動部、
４３…第１の順序判定部、
４５…第２の順序判定部、
４６…第１の被判定部、
４９…第２の被判定部、
Ｒａ…搬送部材、
Ｓ…媒体、
ＳＨ４…搬送路、
Ｕ…画像形成装置、
Ｕ１…記録部、
Ｕ４…媒体の搬送装置、
Ｕ４ａ…移動部材。
【図１】
2017071504.tif 000003
【図２】
2017071504.tif 000004
【図３】
2017071504.tif 000005
【図４】
2017071504.tif 000006
【図５】
2017071504.tif 000007
【図６】
2017071504.tif 000008
【図７】
2017071504.tif 000009
【図８】
2017071504.tif 000010
【図９】
2017071504.tif 000011
【図１０】
2017071504.tif 000012
【図１１】
2017071504.tif 000013